(57)【要約】【課題】撮影者が自らを被写体とし、ズーム機能を利用して画角の変更を確認しながら撮影を行えるようにした撮影装置の画角確認構造を提供する。【解決手段】ズームレンズを有する撮像レンズ装置１４を備えたカメラ本体１０に被写体を映す反射体２０を設置し、画角設定手段２２で反射体２０に映る画像の画角をズーム倍率に対応して変更し設定する。撮影者は、被写体としての位置に立って、反射体２０に映っている自分の姿の写像を見て適切な画角の写像を確認してから撮影を行うことができるので、撮影者の所望のズーム倍率と画角に設定された写真を撮影できる。【選択図】　図２
2004062031.tif 000002
【特許請求の範囲】
【請求項１】
ズームレンズを有する撮像レンズ装置を備えたカメラ本体と、
前記カメラ本体に設けた、被写体を映す反射体と、
前記反射体に映る画像の画角をズーム倍率に対応して変更し設定する画角設定手段と、
を有することを特徴とする撮影装置の画角確認構造。
【請求項２】
ズームレンズを有する撮像レンズ装置を備えたカメラ本体と、
前記カメラ本体に設けた、被写体を映す反射体と、
各々区画用側辺を形成した開口を持つフレーム部材と、
前記フレーム部材を２つ重ねて前記反射体の反射面上に配置し、前記２つのフレーム部材を、一方の前記区画用側辺と他方の前記区画用側辺とで区画される開口の対角線に沿って対象となるように前記ズームレンズの動作に連動して移動操作し、前記反射体に映る画像の画角をズーム倍率に対応して変更し設定する連動手段と、
を有することを特徴とする撮影装置の画角確認構造。
【発明の詳細な説明】
【０００１】
【発明の属する技術分野】
この発明は、撮影者が被写体となった際、ズーム機能を利用したときの画角の変更を確認しながら、カメラで撮影を行えるようにする撮影装置の画角確認構造に関する。
【０００２】
【従来の技術】
一般に、スチルカメラで、撮影者が被写体となって撮影をする場合には、カメラで設定する視野範囲及び焦点距離並びに露出値を決定するため、撮影者は、カメラを三脚又は置台等に載置し、ファインダーをのぞいて視野範囲及び焦点距離並びに露出値を決定する。又は、ファインダーをのぞかずに経験による勘で撮影構図や視野範囲及び焦点距離並びに露出値を決定する。
【０００３】
次に、撮影者が被写体となって、リモートコントロール又はボタン操作等によりカメラのシャッターを切り、撮影を行っていた。電荷結合素子（ＣＣＤ）等のデジタルカメラでもモニターを見ながら同様に操作する必要があった。
【０００４】
このようなやり方で撮影者が被写体となって撮影をする場合には、撮影の手数が煩雑で、カメラの視野範囲が不正確になり易い。
【０００５】
そこで従来の提案されているカメラでは、その前面に、ガラス鏡又はアルミニウム箔製等の光の反射板を設ける。この反射板には、撮影距離又は焦点距離に応じて撮影領域が視認可能なマーキングを施す。また、反射板の前面に凹レンズを付加して視認を容易に行えるようにする。　さらに、反射板自体を凹面状に形成すると、反射板の占有面積を狭くすることができる。
【０００６】
このように構成したカメラでは、その前面から所定の範囲内の距離にある位置において、被写体すなわち撮影者が、反射板に映る自分の姿を確認し、リモートコントロール又はボタン操作等によりカメラのシャッターボタンを押して、撮影を行なうことができる（例えば、特許文献１参照。）。
【０００７】
【特許文献１】
特開平１０−２６８３８６号公報（段落番号０００２、０００９〜００１３、図１）
【０００８】
【発明が解決しようとする課題】
上述のような従来提案されているカメラでは、その前面に設けた反射板に、撮影距離又は焦点距離に応じて撮影領域が視認可能なマーキングが施されている。
【０００９】
しかし、ズームカメラの場合は、ズーム倍率によって画角が変わるので、撮影距離又は焦点距離に対応した撮影領域を示すマーキングが役に立たないから、被写体である撮影者が、自分の姿を反射板に映しても、変更されたズーム倍率に対応した正しい画角が確認できないという問題がある。
【００１０】
本発明は上述の事実を考慮し、撮影者が自らを被写体とし、ズーム機能を利用して画角の変更を確認しながら撮影を行えるようにした撮影装置の画角確認構造を新たに提供することを目的とする。
【００１１】
【課題を解決するための手段】
本発明の請求項１に記載の撮影装置の画角確認構造は、ズームレンズを有する撮像レンズ装置を備えたカメラ本体と、カメラ本体に設けた、被写体を映す反射体と、反射体に映る画像の画角をズーム倍率に対応して変更し設定する画角設定手段と、を有することを特徴とする。
【００１２】
上述のように構成することにより、撮影者は、被写体としての位置に立って、画角設定手段により反射体に映る画像の画角をズーム倍率に対応して設定された画角の中で、被写体すなわち撮影者が反射体に映っている自分の姿の写像を見て適切な画角の写像を確認してから撮影を行うことができるので、撮影者の所望のズーム倍率と画角に設定された写真を撮影できる。
【００１３】
本発明の請求項２に記載の撮影装置の画角確認構造は、ズームレンズを有する撮像レンズ装置を備えたカメラ本体と、カメラ本体に設けた、被写体を映す反射体と、各々区画用側辺を形成した開口を持つフレーム部材と、フレーム部材を２つ重ねて反射体の反射面上に配置し、２つのフレーム部材を、一方の区画用側辺と他方の区画用側辺とで区画される開口の対角線に沿って対象となるようにズームレンズの動作に連動して移動操作し、反射体に映る画像の画角をズーム倍率に対応して変更し設定する連動手段と、を有することを特徴とする。
【００１４】
上述のように構成することにより、撮影者は被写体としての位置に立って、連動手段が２つ重ねて反射体の反射面上に配置されたフレーム部材を一方の区画用側辺と他方の区画用側辺とで区画される開口の対角線に沿って対象となるようにズームレンズの動作に連動して移動操作することによりズーム倍率に対応して設定した画角の中で、反射体に映っている自分の姿の写像を見て適切な画角の写像を確認してから撮影を行うことができるので、撮影者の所望のズーム倍率と画角に設定された写真を撮影できる。
【００１５】
【発明の実施の形態】
本発明の実施の形態に係る撮影装置の画角確認構造について、図１乃至図７を参照しながら説明する。
【００１６】
本実施の形態に係わる撮影装置の画角確認構造は、図１に示すように、小型縦型のカメラに設ける画角確認構造として構成する。
【００１７】
この小型縦型のカメラ本体１０は、被写体像を表わす映像信号をディジタル画像データに変換しかつデータ圧縮したのちに半導体メモリ（内蔵メモリ、例えば、カメラ内蔵のフラッシュメモリ、または着脱自在なカード状メモリ）に記憶するディジタル・スチル・カメラとして構成する。
【００１８】
この小型縦型のカメラ本体１０には、図示しないが、その底部中央にＪＩＳ規格の三脚ネジ穴を配置し、この三脚ネジ穴に、三脚の台部に設置した雄ねじを螺挿することによって三脚に固定し、撮影の作業を行えるように構成する。
【００１９】
また、小型縦型のカメラ本体１０の上部には、レリーズボタン（いわゆるシャッタボタン）１２を配置する。このレリーズボタン１２は、いわゆる２段ストローク・タイプのものとして構成する。
【００２０】
すなわちレリーズボタン１２は、図示しない第１と第２のスイッチを有し、レリーズボタン１２の第１段階の押下で第１スイッチがオンとなり，このオン信号に応答して撮影準備をするために合焦動作等の各種動作を開始し、レリーズボタン１２がさらに押し込まれて第２段階に達すると第２スイッチがオンとなり，このオン信号に応答して撮影動作が開始されるよう構成する。
【００２１】
また、小型縦型のカメラ本体１０の前面には，撮像レンズ装置１４、ファインダ１６、及び画角確認用表示構造部１８を設け、図示しないが必要に応じて、ストロボ発光部、測距窓等を配置する。
【００２２】
この小型縦型のカメラ本体１０の背面には、図示しないが、液晶ディスプレイ（ＬＣＤ）で構成した画像表示部（モニタ）、主電源スイッチ、テレ・ワイド設定ボタン、ストロボ強制撮影設定ボタン、時刻設定ボタン、再生モード設定ボタン、圧縮率設定ボタン等の各種操作ボタンを配置する。
【００２３】
この小型縦型のカメラ本体１０では、撮像レンズ装置１４の後方に図示しないＣＣＤ（撮像素子）を配設し、撮像レンズ装置１４を通してＣＣＤの受光面に結像した被写体像を、ＣＣＤにおいて光電変換し、画像信号として順次読み出すように構成する。
【００２４】
この画像信号は、信号処理部に伝達されて、ゲイン調整、Ａ／Ｄ変換、輝度／色差信号信号生成、及びガンマ補正等の信号処理をされてから画像表示部に導かれる。そして、画像表示部上に撮影画像が表示される。
【００２５】
また、小型縦型のカメラ本体１０は、自動露出調整（ＡＥ）機能及びオートフォーカス（ＡＦ）機能を具備しており、使用者が小型縦型のカメラ本体１０の撮像レンズ装置１４を被写体に向けるだけで、最適な露出調整及びピント合わせが自動的に行われるように構成する。
【００２６】
さらに、カメラ本体１０は、ズーム機能を有し、図示しないズーム操作ボタンを操作することにより、ズーム倍率を変更調整可能に構成する。
【００２７】
このように構成したカメラ本体１０で撮影を行うときは、画像表示部に映し出される画像（プレビュー動画）を見ながら構図及びズーム倍率を決定し、レリーズボタン１２を押圧すると、画像表示部の画像が静止（フリーズ）し、レリーズボタン１２の押圧時にＣＣＤから読み出された画像信号が所定の処理を経て内蔵メモリ、例えば、カメラ内蔵のフラッシュメモリ、または着脱自在なカード状メモリ等の記録部に記録される。そして、かかる記録処理が完了すると、フリーズを解除して動画又は間欠画表示のモードに戻る。
【００２８】
また、カメラ本体１０は、再生モードを有し、記録部に記録されている画像データを読み出してその画像を画像表示部上に表示したり、或いは、図示しないパーソナルコンピュータ（パソコン）等の外部機器から通信機能や入出力端子（不図示）を介して画像データを受入し、その画像を画像表示部（モニタ）上に表示可能に構成する。
【００２９】
図２及び図３に示すように、撮影者が被写体となって撮影を行う場合（いわゆる自分を撮影する場合）に利用するため、カメラ本体１０に設ける画角確認用表示構造部１８は、反射体２０と、反射体２０に映る画像の画角をズーム倍率に対応して変更し設定する画角設定手段とを有する。
【００３０】
この反射体２０は、アクリル樹脂製の反射部材の表面にメッキを施して反射面を形成したもの、アルミニウム製の反射板部材又は鏡（ミラー）部材等の、被写体の像を反射して映せるものであれば良い。
【００３１】
また、この反射体２０は、その反射面全体に像を映したときの画角がズーム機能を有する撮像レンズ装置１４におけるレンズ広角端と一致するように構成する。このため、反射体２０の表面を凸状の曲面（図４に例示するように、球面の一部）に形成し、若しくは反射体２０の表面を凹状の曲面（球面の一部）に形成し、又は反射体２０の前方に、画角を撮像レンズ装置１４の広角端と一致するように合わせるレンズを配置して構成する。
【００３２】
この反射体２０は、カメラ本体１０における被写体に向く前面部の撮像レンズ装置１４近傍に配置して、カメラ本体１０で撮影する画像と反射体２０に映る画像との間に誤差がなるべく生じないように配置する。
【００３３】
撮影者が被写体となって撮影を行う場合（いわゆる自分を撮影する場合）に利用する画角確認用表示構造部１８における反射体２０に映る画像の画角をズーム倍率に対応して変更し設定する画角設定手段は、反射体２０の反射面上で画角を区切る画角表示部材２２と、この画角表示部材２２をズームレンズの動作に連動して移動操作する連動手段とを有する。
【００３４】
図２乃至図６に示すように、画角表示部材２２は、一対の矩形枠状のフレーム部材２２Ａ、２２Ｂを組み合わせて構成する。
【００３５】
これらフレーム部材２２Ａ、２２Ｂは、それぞれ金属製薄板等の遮光性を有する薄板部材で形成したもので、図５及び図６に向かって上側に描かれている一方のフレーム部材２２Ａは、その中央部に略矩形の所定の大きさを持つ開口を穿設し、この開口の図５及び図６に向かって右側の縦側辺と、これに直交する開口の図５及び図６に向かって下側の横側辺とを、区画用側辺２４として構成する。
【００３６】
さらに、一方のフレーム部材２２Ａには、図５及び図６に向かって左上角部分に、一方のフレーム部材２２Ａを移動操作するために用いる所定長さを持つ直線状の被動溝２８を斜めに穿設する。
【００３７】
また、図５及び図６に向かって下（奥）側に描かれている他方のフレーム部材２２Ｂは、その中央部に略矩形の所定の大きさを持つ開口を穿設し、この開口の図５及び図６に向かって左側の縦側辺と、これに直交する開口の図５及び図６に向かって上側の横側辺とを、区画用側辺２６として構成する。
【００３８】
さらに、他方のフレーム部材２２Ｂには、図５及び図６に向かって右下角部分に、他方のフレーム部材２２Ｂを移動操作するために用いる所定長さを持つ直線状の被動溝３０を斜めに穿設する。
【００３９】
これらフレーム部材２２Ａ、２２Ｂは、図４乃至図６に示すように、相互に摺り合わせるように重ね合わせた状態で使用される。また、フレーム部材２２Ａ、２２Ｂは、相互に重ね合わせた状態で、カメラ本体１０の外装の透明ガラスを入れた窓部として構成した画角確認用表示構造部１８の背後と、画角確認用表示構造部１８の窓部から覗けるようにカメラ本体１０内部に配置した反射体２０との間位置に配設する。
【００４０】
このとき、画角確認用表示構造部１８の窓部の背後に隣接して反射体２０を配置できるようにするため、フレーム部材２２Ａ、２２Ｂは、厚さ方向の寸法を取らないように薄く構成し、画角確認用表示構造部１８の窓部の背後に近接して配置する。
【００４１】
このフレーム部材２２Ａ、２２Ｂは、それぞれ２つのフレーム部材２２Ａ、２２Ｂが重なったときに、区画用側辺２４と区画用側辺２６とで矩形に区画される矩形開口の対角線に沿って対象に移動自在に装着する。
【００４２】
さらに、これらフレーム部材２２Ａ、２２Ｂは、それぞれ連動手段によって、ズームレンズの動作に連動して移動操作可能に構成する。
【００４３】
この連動手段は、図７に示すように、撮像レンズ装置１４に装着したズームレンズを駆動するズームモータのギア部材３４に連動する歯車機構と、各フレーム部材２２Ａ、２２Ｂをそれぞれ移動操作するよう接続するカム機構とを有する。
【００４４】
連動手段における歯車機構は、ズームレンズ駆動用のズームモータにおけるギア部材３４の歯車に噛合する第１歯車３６と、この第１歯車３６の回転軸４０上に設置された第２歯車３８と、この第２歯車３８に噛合する第３歯車４２とで構成する。なお、この連動手段は、撮像レンズ装置１４に装着したズームレンズの駆動動作に連動して、各フレーム部材２２Ａ、２２Ｂをそれぞれ移動操作可能なものであれば、例えばリンク機構等の種々の構成を採り得ることは、勿論である。
【００４５】
また、この連動手段では、各フレーム部材２２Ａ、２２Ｂをそれぞれ移動操作するよう接続するカム機構を構成するため、回転軸４０の先端にリンク板４４の一端部を固着し、リンク板４４の自由端部に外方へ向けて操作ピン４６を突設する。これと共にこの連動手段では、第３歯車４２に設けた回転軸４８の先端にリンク板５０の一端部を固着し、リンク板５０の自由端部に外方へ向けて操作ピン５２を突設する。
【００４６】
さらに、この連動手段では、一方のフレーム部材２２Ａの被動溝２８に操作ピン４６を摺動自在に挿通し、他方のフレーム部材２２Ｂの被動溝３０に操作ピン５２を摺動自在に挿通して、各フレーム部材２２Ａ、２２Ｂをそれぞれ同期して移動操作するカム機構を構成する。
【００４７】
このように構成した連動手段では、撮像レンズ装置１４に装着したズームレンズを駆動するズームモータのギア部材３４の回動動作に連動して、歯車機構における第１歯車３６、第２歯車３８及び第３歯車４２を介して各回転軸４０と回転軸４８とを同期して回動することにより、各フレーム部材２２Ａ、２２Ｂをカム機構における回転軸４０、リンク板４４、操作ピン４６及び被動溝２８と、回転軸４８、リンク板５０、操作ピン５２及び被動溝３０とを介して、各フレーム部材２２Ａ、２２Ｂをそれぞれ同期して、各フレーム部材２２Ａ、２２Ｂにおける区画用側辺２４と区画用側辺２６とで区画される開口の対角線方向へ移動操作する。
【００４８】
このとき、各フレーム部材２２Ａ、２２Ｂにおける区画用側辺２４と区画用側辺２６とで区画される開口の大きさが、そのときのズーム倍率における画角に合致するように、ズームレンズを駆動するズームモータのギア部材３４の歯数と、歯車機構における第１歯車３６、第２歯車３８及び第３歯車４２の各歯数とを設定して構成する。
【００４９】
次に、上述のように構成された本実施の形態のカメラ本体１０と、これに設けた画角確認構造の作用及び使用方法について説明する。
【００５０】
この画角確認構造を備えたカメラ本体１０では、撮影者が被写体となって撮影を行う場合（いわゆる自分を撮影する場合）に、まず、撮影者は、カメラを三脚又は置台等に載置し、ファインダーをのぞいて視野範囲及び焦点距離並びに露出値（自動的に設定される機能を利用しても良い。この場合には、撮影者が被写体としての位置に立ったときに、焦点距離並びに露出値が自動的に決定される）を決定する。
【００５１】
また、被写体となる撮影者は、ズーム操作ボタンを操作して撮像レンズ装置１４のズーム倍率を決定する。このとき画角設定手段は、画角確認用表示構造部１８における反射体２０に映る画像の画角をズーム倍率に対応して変更し設定する。
【００５２】
このため、画角設定手段は、その反射体２０の反射面上で画角を区切る画角表示部材２２を、連動手段によりズームレンズの動作に連動して移動操作して、反射体２０に映る画像の画角を設定する。
【００５３】
すなわち、撮像レンズ装置１４のズームレンズを駆動するギア部材３４の動作に連動して、歯車機構と、カム機構とを介して、各フレーム部材２２Ａ、２２Ｂをそれぞれ同期して区画用側辺２４と区画用側辺２６とで区画される開口の対角線方向へ移動操作することにより、ズーム倍率に対応した反射体２０に映る画像の画角を設定する。
【００５４】
例えば、撮像レンズ装置１４のズーム倍率を広角側に設定した場合には、図２に示すように、画角確認用表示構造部１８における反射体２０の反射面を大きく覗かせるように、各フレーム部材２２Ａ、２２Ｂが図６に示すように、対角線方向へ移動されて区画用側辺２４と区画用側辺２６とで区画される開口が大きく開く状態とする。これにより、画角確認用表示構造部１８には、ズーム倍率を広角に設定したときの画角で被写体の写像が映し出される状態となる。
【００５５】
また例えば、撮像レンズ装置１４のズーム倍率を望遠側に設定した場合には、図３に示すように、画角確認用表示構造部１８における反射体２０の反射面を小さく覗かせるように、各フレーム部材２２Ａ、２２Ｂが図５に示すように、対角線方向へ移動されて区画用側辺２４と区画用側辺２６とで区画される開口が小さく開く状態とする。これにより、画角確認用表示構造部１８には、ズーム倍率を望遠に設定したときの画角で被写体の写像が映し出される状態となる。
【００５６】
次に、撮影者は、被写体としての位置に立って画角確認用表示構造部１８に映し出された画角の中で、被写体すなわち撮影者が反射体２０に映っている自分の姿の写像を見て確認し、必要に応じてズーム倍率の再調整を行って適切な画角の写像を確認してから、リモートコントロール又はレリーズボタン１２の操作等によりカメラ本体１０のシャッタを切り、撮影を行う。
【００５７】
このようなやり方で撮影者が被写体となって撮影をする場合には、撮影時のズーム倍率に対応した画角を確認して撮影できるので、撮影者の所望のズーム倍率と画角に設定された写真を撮影できる。
【００５８】
なお、本実施の形態に係わる撮影装置としての画角確認構造を備えた小型縦型のカメラ本体１０は、いかなる種類のカメラ，例えばフィルムを光化学的に感光して被写体像をフィルムに固定する通常の銀塩カメラ，固体電子撮像素子（たとえばＣＣＤ）を用い，この固体電子撮像素子から出力される被写体像を表わす映像信号を磁気的または電子的に固定する（フロッピィ・ディスクに記録するまたはメモリに記憶する）スチル・ビデオ・カメラであってもよい。
【００５９】
【発明の効果】
以上説明したように本発明の撮影装置の画角確認構造は、第１に、ズームレンズを有する撮像レンズ装置を備えたカメラ本体に被写体を映す反射体を設置し、画角設定手段で反射体に映る画像の画角をズーム倍率に対応して変更し設定するよう構成する。
【００６０】
これにより、撮影者は、被写体としての位置に立って、画角設定手段により反射体に映る画像の画角をズーム倍率に対応して設定された画角の中で、被写体すなわち撮影者が反射体に映っている自分の姿の写像を見て適切な画角の写像を確認してから撮影を行うことができるので、撮影者の所望のズーム倍率と画角に設定された写真を撮影できるという効果がある。
【００６１】
本発明の撮影装置の画角確認構造は、第２に、ズームレンズを有する撮像レンズ装置を備えたカメラ本体に被写体を映す反射体を設置し、各々区画用側辺を形成した開口を持つフレーム部材を２つ重ねて反射体の反射面上に配置し、これら２つのフレーム部材を連動手段によって、一方の区画用側辺と他方の区画用側辺とで区画される開口の対角線に沿って対象となるようにズームレンズの動作に連動して移動操作し、反射体に映る画像の画角をズーム倍率に対応して設定するよう構成する。
【００６２】
これにより、撮影者は被写体としての位置に立って、連動手段が２つ重ねて反射体の反射面上に配置されたフレーム部材を一方の区画用側辺と他方の区画用側辺とで区画される開口の対角線に沿って対象となるようにズームレンズの動作に連動して移動操作することによりズーム倍率に対応して設定した画角の中で、反射体に映っている自分の姿の写像を見て適切な画角の写像を確認してから撮影を行うことができるので、撮影者の所望のズーム倍率と画角に設定された写真を撮影できるという効果がある。
【図面の簡単な説明】
【図１】本発明の実施の形態に係る画角確認構造を備えた撮影装置としてのカメラ本体の全体を示す、概略斜視図である。
【図２】本発明の実施の形態に係るズーム倍率が広角の状態にある画角確認構造を備えた撮影装置としてのカメラ本体の全体を示す、概略正面図である。
【図３】本発明の実施の形態に係るズーム倍率が望遠の状態にある画角確認構造を備えた撮影装置としてのカメラ本体の全体を示す、概略正面図である。
【図４】本発明の実施の形態に係る撮影装置としてのカメラ本体における画角確認構造部分の概略拡大断面図である。
【図５】本発明の実施の形態に係るズーム倍率が望遠の状態にある画角確認構造部分を取り出して示す、概略正面図である。
【図６】本発明の実施の形態に係るズーム倍率が広角の状態にある画角確認構造部分を取り出して示す、概略正面図である。
【図７】本発明の実施の形態に係る画角確認構造を備えた撮影装置としてのカメラ本体に装着する画角表示部材をズームレンズの動作に連動して移動操作する連動手段を取り出して示す、要部概略斜視図である。
【符号の説明】
１０　カメラ本体
１４　撮像レンズ装置
１８　画角確認用表示構造部
２０　反射体
２２　画角表示部材
２２Ａ　　　　フレーム部材
２２Ｂ　　　　フレーム部材
２４　区画用側辺
２６　区画用側辺
２８　被動溝
３０　被動溝
３４　ギア部材
３６　第１歯車
３８　第２歯車
４０　回転軸
４２　第３歯車
４４　リンク板
４６　操作ピン
４８　回転軸
５０　リンク板
５２　操作ピン
【図１】
2004062031.tif 000003
【図２】
2004062031.tif 000004
【図３】
2004062031.tif 000005
【図４】
2004062031.tif 000006
【図５】
2004062031.tif 000007
【図６】
2004062031.tif 000008
【図７】
2004062031.tif 000009